(57)【要約】【課題】小型送風機の上面中心に載置した風船を中心位置を保持したまま回転させるようにしたインテリヤ球体回動器を提供する。【解決手段】基台（１）の上方に、空間（ａ）を隔てて上面に安全金網（３）を張架した小型送風機（２）を支架し、当該小型送風機（２）下部の空間（ａ）に、小型送風機（２）のモーター部（ｂ）とほぼ同じ直径とした環流用アロマ円筒（４）を介装して、芳香を放散しながら小型送風機（２）の送風流側上部中心に載せた表面に色彩等を施した球体（８）を、速度調整しながら回動せしめる発光ダイオード（７）を配設したイテリヤ球体回動器の構造を特徴とした。【選択図】図１
0003120998.tif 000002
【実用新案登録請求の範囲】
【請求項１】
基台（１）の上方に、空間（ａ）を隔てて防塵底網（２ａ）を有し、上面に安全金網（３）を張架した小型送風機（２）を支架し、当該小型送風機（２）下部の空間（ａ）に、小型送風機（２）のモーター部（ｂ）とほぼ同じ直径とした環流用アロマ円筒（４）を上部にやや隙間を空けて着脱自在に介装し、当該環流用アロマ円筒（４）の蓋体（４ａ）上面には複数個の通孔（５）を設けて、中にはアロマ剤（６）を充填し、小型送風機（２）の送風流側の安全金網（３）の上部中心に、色彩等を施した球体（８）を載せて速度調整しながら回動せしめることを特徴としたインテリヤ球体回動器の構造。
【請求項２】
小型送風機（２）の枠体に複数個の発光ダイオード（７）を配設してなる請求項１記載のインテリヤ球体回動器の構造。
【考案の詳細な説明】
【技術分野】
【０００１】  本考案は、小型送風機の上面中心に載置した風船を中心位置を保持したまま回転させるようにしたインテリヤ球体回動器の構造に関する。
【背景技術】
【０００２】  従来、小型送風機は、冷風又は、温風を送扇風機として使用されているのが一般的である。室内空気温度を均一にするため、送風筒を排出側に保持した小型送風機を用いて空気を還流せしめる方法は、例えば、特許第３０３２８８６号（特許文献１）によって提案されている。
【特許文献１】特許第３０３２８８６号公報
【考案の開示】
【考案が解決しようとする課題】
【０００３】  特許文献１のものは、小型送風機からの送風流を送風筒によって送風力の減衰を少なくして部屋の隅まで到達させ、室内の空気を還流させて室内温度を単に均一化するものであるが、本考案では、送風筒は用いず小型送風機を上向きにしてその送風流の中に、広告等の色彩を施した風船等の球体を載せて中心下底を接地したまま回動せしめるものである。
【課題を解決するための手段】
【０００４】  本考案は、基台（１）の上方に、空間（ａ）を隔てて防塵底網（２ａ）を有し、上面に安全金網（３）を張架した小型送風機（２）を支架し、当該小型送風機（２）下部の空間（ａ）に、小型送風機（２）のモーター部（ｂ）とほぼ同じ直径とした環流用アロマ円筒（４）を上部にやや隙間を空けて着脱自在に介装し、当該環流用アロマ円筒（４）の蓋体（４ａ）上面には複数個の通孔（５）を設けて、中にはアロマ剤（６）を充填し、小型送風機（２）の送風流側の安全金網（３）の上部中心に、色彩等を施した球体（８）を載せて速度調整しながら回動せしめるインテリヤ球体回動器の構造を特徴としたものである。【０００５】  本考案では、垂直上方に環流状の送風流を作り出す環流用アロマ円筒（４）を、除菌剤抗菌剤消臭剤を混在させたアロマ剤（６）の充填ケースを兼ねさせて、作り出された環流状の送風流の中に、浄化される芳香を蓋体の通孔（５）から吸引放散させる様にすると共に、小型送風機（２）の周囲に散在させた発光ダイオード（７）の色彩光りと芳香でいやしと集客の効果を持たせるものである。
【考案の効果】
【０００６】  本考案は、小型送風機（２）下部の空間（ａ）に、小型送風機（２）のモーター部（ｂ）とほぼ同じ直径とした環流用アロマ円筒（４）を着脱自在に介装したものであるから、小型送風機（２）に下から吸い込まれる空気流は、環流用アロマ円筒（４）の円周壁に沿った環状の層流となってモーター部（ｂ）周囲の羽根群に吸い込まれ、そのまま垂直に上昇する環状の層流が、小型送風機（２）の上面安全金網（３）の中心に載せた球体（８）の円周部位に当たって回転させ、球体（８）の中心下部は安全金網（３）の中心に接触を保ったまま安定して回転を続けさせる効果がある。【０００７】  色彩等を施した回転する球体は、発光ダイオードの色彩光の点滅と織りなして、室内又は、屋外に置いて、動くインテリヤとして集客効果やいやし効果として利用出来る効果があると同時に、環流用アロマ円筒（４）の通孔（５）から吸い出される除菌抗菌消臭の作用で浄化された芳香空気は心地良いいやし効果を倍加させる効果がある。
【考案を実施するための最良の形態】
【０００８】  本考案は、基台（１）の上方に、小型送風機（２）を支架し、当該小型送風機（２）下部の空間（ａ）に、小型送風機（２）のモーター部（ｂ）とほぼ同じ直径とた環流用アロマ円筒（４）を着脱自在に介装し、小型送風機（２）の送風流側の安全金網（３）の上面中心に、色彩等を施した球体（８）を載せて速度調整しながら回動せしめるイテリヤ球体回動器の構造を特徴としたものである。【０００９】  更に、本考案では、垂直上方に環流状の送風流を作り出す環流用アロマ円筒（４）を、除菌剤抗菌剤消臭剤を混在させたアロマ剤（６）の充填ケースを兼ねさせて、作り出された環流状の送風流の中に、蓋体（４ａ）の通孔（５）からアロマ剤（６）の浄化された芳香を吸引室内放散させる様にすると共に、小型送風機（２）の周囲に発光ダイオード（７）を散在させ、色彩光りと芳香でいやしと集客の効果を持たせる。【００１０】  小型送風機（２）を稼働して上向きの送風流を作る場合に、小型送風機（２）に下から吸い込まれる空気流は、環流用アロマ円筒（４）の円周面がガイドとなって、円周壁に沿った環状の層流となって垂直上昇してモーター部（ｂ）周囲の羽根群に吸い込まれ、送風流は環状層流のまま上昇して小型送風機（２）の上部中心に載せた球体（８）の円周部位に当たり、球体（８）の回転を続けさせる。【００１１】  この時、吸い込まれる空気流は、モーター部（ｂ）部分は、直下に装着されている環流用アロマ円筒（４）に風流が阻止されるので、モーター部（ｂ）部分の上部に載せた球体（８）中心下底は、下からの吹き上げ送風流を受けることなく、その重量が集中する中心下底部分をモーター部（ｂ）上部の安全金網（３）に接触させたままその位置を安定して保って、周辺部に当たる空気流によって回転されることになる。【００１２】  従って、小型送風機（２）の上で回動を続ける球体（８）は、不安定に揺らぐことがなく、接触する中心位置の接点を常に安定して保つので、小型送風機（２）が稼働中は、球体（８）が飛び散ることは全くない。【００１３】  即ち、球体（８）は、小型送風機の電圧の強弱によって速度が変わる送風流の中で、回転速度を変化させながら垂直中心の下底を接地したまま回転を続けることになり、室内に置いては動くインテリヤとして興味を引き、球体（８）は、紙風船その他軽量素材のボール体とし、多少の重量感があってもよく、その表面に絵や色彩を施して広告表示すれば、絵や文字が動く広告媒体として利用できる。【００１４】  環流用アロマ円筒（４）は環状の上昇送風気流を作る作用と共に、アロマを保持して供給する役目があり、円筒内に除菌剤，抗菌剤，消臭剤と芳香剤を取り替え自在に充填しておけば、吸引空気に吸い出される芳香は除菌抗菌消臭の作用で浄化された空気に加味されて、心地良いいやし効果をもたらす。【００１５】  色彩等を施した回転する球体は、発光ダイオードの色彩光の点滅と織りなして、室内又は、屋外に置いて、動くインテリヤとして集客効果やいやし効果が著しい。【００１６】  本願に於て、小型送風機（２）の防塵底網（２ａ）は、室内等周囲の空気の塵埃を防ぐもので、吸引空気の浄化を助けると共に、安全金網（３）は手指等入り込まないための安全と、その上に載る回転する球体（８）の接地を安定させる。
【図面の簡単な説明】
【００１７】
【図１】  本考案の正面図である。
【符号の説明】
【００１８】１  基台
２  小型送風機
２ａ  防塵底網
３  安全金網
４  環流用アロマ円筒
４ａ  蓋体
５  通孔
６  アロマ剤
７  発光ダイオード
８  球体
【図１】
0003120998.tif 000003